(57)【要約】      （修正有）【課題】シャワールームの代替品となり、シャワーのみでなく温水を貯留しての入浴が可能であり、清掃も容易な省スペース型浴槽で、かつ入浴中の溺死事故等も防止できる安全な立位入浴槽を提供する。【解決手段】排水口を備えた底面部と底面部の周縁から略垂直に立ち上がる側面部とで構成される浴槽であって、浴槽の全体形状は立位姿勢の成人一人が入浴可能な縦長であり、浴槽の出入口となる開口部が側面部の上端からその半ばに至るまで設けられ、出入口にはこれを開放又は閉鎖のいずれかの状態に保持が可能な可動式の防水扉２と、防水扉の保持と開閉動作のための扉支持装置３と、浴槽の漏水防止のために閉鎖した防水扉を側面部に圧着して固定する扉圧着装置４とを備える。また、浴槽内での溺死事故等を防止し、清掃等も容易なように急速排水装置を備える。【選択図】図６
0003220284.tif 000002
【実用新案登録請求の範囲】
【請求項１】
排水口を備えた底面部とその底面部の周縁から略垂直に立ち上がる側面部とで構成される浴槽であって、前記浴槽の全体形状は立位姿勢の成人一人が入浴可能な縦長であり、前記浴槽の出入口となる開口部が前記側面部の上端からその半ばに至るまで設けられ、前記出入口にはこれを開放又は閉鎖のいずれかの状態に保持することが可能な可動式の防水扉と、前記防水扉の保持と開閉動作のための扉支持装置と、前記浴槽の漏水防止のため前記出入口を閉鎖した前記防水扉を前記側面部に圧着して固定する扉圧着装置とを備えたことを特徴とする立位入浴槽。
【請求項２】
前記浴槽の内側で、前記底面部の奥行が６５０ｍｍ乃至８００ｍｍの範囲に、前記底面部の横幅が６５０ｍｍ乃至８００ｍｍの範囲にあり、前記浴槽の外側で、前記側面部の高さが下端から１３００ｍｍ乃至１６００ｍｍの範囲に、前記出入口の高さが下端から５５０ｍｍ乃至７００ｍｍの範囲にあることを特徴とする請求項１記載の立位入浴槽。
【請求項３】
前記浴槽の前記側面部の内側に一又は複数のなだらかな背面支持部を備えたことを特徴とする請求項１又は請求項２のいずれかに記載の立位入浴槽。
【請求項４】
前記浴槽の前記側面部の内側に突出する起動装置と、前記側面部の内側に向けて設置された一又は複数の副排水口と、貯水時には前記副排水口を閉鎖し、前記起動装置の操作時は前記副排水口を開放する止水弁と、前記止水弁の開放により前記浴槽内の貯留水の排水経路となる排水管とを有する急速排水装置を備えたことを特徴とする請求項１又は請求項２のいずれかに記載の立位入浴槽。
【考案の詳細な説明】
【技術分野】
【０００１】
本考案は、住宅や宿泊施設等に設置されて、又は、利用場所に搬送されて使用される入浴用の浴槽（湯船）に関するものである。
【背景技術】
【０００２】
入浴は、その心身リフレッシュ効果から、人々の日々の生活において欠くことができないものであり、古くから湯治などとして高い療養効果も認められてきたところである。
その入浴方法やそれに用いられる浴槽に関しても、人々が営む長い歴史の中で多種多様な生活文化となり、日本と諸外国の入浴文化の間にも大小様々な違いが存在する。一例として、日本ではその一部の地域を除き浴槽にお湯を貯めて全身を温める習慣が古くから根付いてきたが、南方の諸外国などではそのような浴槽を備えない簡素な入浴スタイルが広く普及してきた現状が認められる。
また最近の日本では、生活習慣の西洋化や建築スペースの狭小さ等も要因となり、必ずしも従来型の浴槽を備えずにシャワールームのみの簡素な浴室を備えた住宅や宿泊施設も徐々に増えつつある状況である。
【先行技術文献】
【特許文献】
【０００３】
【特許文献１】実登第３０９２１０６号公報
【特許文献２】特開２００２−８５５１２号公報
【考案の概要】
【考案が解決しようとする課題】
【０００４】
省スペース型の浴槽であって、シャワールームの代替品ともなり得るものでありながら、単にシャワーのみでなくお湯を貯めて入浴することも可能であり、清掃作業も容易であるなどの特徴を持つ浴槽を提案しようとするものである。
また、入浴中の体調不良などによる溺死等の事故を防止するため、より安全な浴槽とすることも本件考案の課題である。
【課題を解決するための手段】
【０００５】
本件考案の入浴槽は、成人の入浴者一人が立位姿勢、すなわち、通常歩行時等の直立した姿勢で入浴可能な程の浴槽内部の底面積を有し、出入口となる一部を除き、その浴槽の高さは、立位状態にある入浴者の肩程度となる深さを有するものとなる。
すなわち、広く普及している一般的な浴槽のように、排水口を備えた底面部のほか、その周縁から鉛直上方に略垂直に立ち上がり入浴者の周囲を取り巻く側面部により、その内部に貯水可能な槽状に構成されるが、従来型の浴槽と比較した本件考案の浴槽の特徴的な形状は、立位入浴が可能なように側面部が高く、省スペース型であるため底面積が小さく、全体形状としては縦長のものとなる。
そして、浴槽の側面部の一部に、その上端からその半ばまでに至る開口部が、浴槽の出入口として設けられる。その出入口には防水扉が設置され、それを上下又は左右若しくは前後に移動させることで、出入口を開放又は閉鎖することができる仕組みになっている。
その他、その防水扉を浴槽に設置し、その開閉動作を補助するための扉支持装置と、浴槽の漏水防止のため、その防水扉を浴槽の側面部に圧着して固定するための扉圧着装置とを備える省スペース型の立位入浴槽とした。
なお、本件考案に係る立位入浴槽は省スペース型であることから、その大きさについては、浴槽内側でその底面部の奥行が６５０ｍｍ乃至８００ｍｍ、その横幅が６５０ｍｍ乃至８００ｍｍの範囲にあり、浴槽外側で側面部の高さが１３００ｍｍ乃至１６００ｍｍ、出入口の高さが５５０ｍｍ乃至７００ｍｍの範囲にあることが一般的である。
また、これらの立位入浴槽に付随する構造として、入浴者が立位姿勢のまま、リラックスして背後に軽くもたれ掛かることができるよう、浴槽内部の背面になだらかに突出する背面支持部を設置する。
更には、浴槽内側の側面部に止水弁等を用いた貯留水の急速排水装置を設け、立位状態の入浴者が立ったままそれを操作できるようにして、入浴者の安全を守るとともに、通常の清掃時の排水効率も向上させるための工夫をした。また、立位入浴槽への出入りを容易にするために、必要に応じて出入口付近の内外にステップを設けることとした。
【考案の効果】
【０００６】
本件考案の浴槽は、省スペース型の立位入浴槽であるため、その外形状は縦長になるが底面積は小さく、従来型の浴槽に比較して極めてコンパクトなものである。
そのため、土地・建物の面積や経費などの制約条件によって、浴室空間を限定的に設置せざるを得ないワンルームマンションやビジネスホテルなど、更には、既に設置されたシャワールームの中などにも、この立位入浴槽を容易に設置することできる。
そして、その形状や大きさから、比較的楽な姿勢で効率良く浴槽内部を清掃することも可能となる。
また、本件考案の立位入浴槽を使用する場合に有効となる様々な付随構造を設けることで、これまで想起されることもなく、普及活動も行われてこなかった新たな入浴スタイルとしての立位入浴を快適かつ安全に行うことが可能となる。
【図面の簡単な説明】
【０００７】
【図１】基本的形状の立位入浴槽で、上下移動式の防水扉を開放した状態を示す斜視図である。
【図２】図１の立位入浴槽で、上下移動式の防水扉を閉鎖した状態を示す斜視図である。
【図３】図１と形状が異なる立位入浴槽で、左右移動式の防水扉を開放した状態を示す斜視図である。
【図４】図３の立位入浴槽で、左右移動式の防水扉を閉鎖した状態を示す斜視図である。
【図５】前後移動式の防水扉を備えた立位入浴槽を示す斜視図である。
【図６】図５と形状が異なる前後移動式の防水扉を備えた立位入浴槽を示す斜視図である。
【図７】背面支持部を備えた立位入浴槽の正面図である。
【図８】図７の立位入浴槽の斜視図である。
【図９】急速排水装置及びステップを備えた立位入浴槽の斜視図である。
【図１０】急速排水装置の排水経路の例を示す正面透視図である。
【考案を実施するための形態】
【０００８】
以下、図を用いながら、本件考案について説明を行う。
図１が、本件考案に係る立位入浴槽の基本的な全体形状である。これは、立位入浴槽を前方右の斜め上方から見た斜視図となっている。
底面部に排水口があり、側面部に出入口がある浴槽部１と、可動式で出入口を塞ぐための防水扉２とが主要な構成要素となっている。
なお、図１では前後左右の側面部が図示されており、この図からは、前と右の側面部の背後になっている底面部を視認することはできない。しかし当然ながら、入浴にあたり温水を貯留可能なように底面部が存在している。すなわち、排水口がある底面部のほか、入浴者の前後左右を取り巻く側面部からなるという意味においては一般的な入浴槽と異ならないが、浴槽部１の前側となる側面部上端から下方に向けて、使用者が浴槽部１に出入りできる高さまで大きな切込みが入れられた開口部となり、これが浴槽部１の出入口となっている。
【０００９】
そして、この浴槽部１の大きさについては様々なバリエーションが考え得るが、空間効率や使用しやすさの観点からは、成人一人が入浴可能な標準的な大きさの一例として、図１の立位入浴槽では、その内側で底面部の奥行を７００ｍｍ、横幅を７００ｍｍとし、その外側で浴槽部１の高さ、すなわち側面部の下端からの高さを１４００ｍｍとし、出入口の高さを下端から６５０ｍｍの高さとしている。ただし、これらの数値に関しては、必要に応じて調整することは考えられる。
一方で、その大きさの調整範囲については、浴槽部１の内側で底面部の奥行が６５０ｍｍ乃至８００ｍｍ、底面部の横幅が６５０ｍｍ乃至８００ｍｍの範囲にあり、浴槽部１の外側で側面部の高さが１３００ｍｍ乃至１６００ｍｍ、出入口の高さが５５０ｍｍ乃至７００ｍｍの範囲にあるものが一般的な立位入浴槽として想定されるところである。
【００１０】
また、浴槽部１の底面部及び側面部の各面の厚さは、内部に貯留した温水等の水圧により容易に損壊しないようにある程度の厚みが必要であり、図１の立位入浴槽の場合においては、その各面を厚み５０ｍｍとして考えている。ただし、移動や設置の容易性に直結する軽量化についても考慮されるべき重要な条件であり、この各面の内部構造に関しては通常の浴槽と同様に空洞を含む構造とすることも考えられる。
【００１１】
一般的な浴槽の材質としては、ガラス繊維強化プラスティック（以下、「ＦＲＰ」という。）・人工大理石・ホーロー・ステンレス・檜等の木材等が考え得るが、本件考案に係る立位入浴槽が空間効率に優れ、かつ、比較的軽量であって移動や設置も容易であるべきことから、その素材としてはＦＲＰを用いて、底面部と側面部とからなる浴槽部１を一体的に成形加工することが見込まれる。ただし、浴槽部１の材質に関しては、必ずしもＦＲＰに限定されるべきものでもないし、例えばＦＲＰの表面に薄い木材を貼るなど、必要に応じて複数の素材を適宜組み合わせて用いることも可能である。
【００１２】
また図１においては、側面部の背後となるため底面部を視認することはできないが、浴槽部１に貯留した温水を排出するために、通常の浴槽と同様に、その底面部には排水口が設置されていた。
一方、温水の注入等に関しては、浴槽部１側面部の内側に冷温水用の蛇口やシャワーが設置され、これにより立位入浴槽内に温水等を貯留することを想定している。
【００１３】
図１では、浴槽部１の前側となっている側面部の一部に、その上端から半ばまでに至る開口部が設けられて、これが立位入浴槽の出入口となっている。
状況に応じて、この出入口に近い高さまで温水を貯めて、入浴者が屈み込み、通常の浴槽のようにして入浴することも可能である。また、浴槽部１の出入口付近には、これを閉鎖することができる防水扉２が設置されているため、より高いレベルまで温水を貯留し、立位入浴を行うことも可能である。
図１の立位入浴槽では、未使用時には浴槽部１の内側下方にあって、使用時には上方に移動させることができる上下移動式の防水扉２が設置されている。図１において、この防水扉２は、浴槽部１の内側に設置されたガイドレールのような形状を持つ扉支持装置３によって上下に移動可能な状態で保持されており、この扉支持装置３に沿って浴槽部１の上端近くまで防水扉２を引き上げて固定することができる構造となっている。なお、この図１は、防水扉２が引き下げられた状態を示しており、入浴者はこの状態において立位入浴槽の出入りを行うこととなる。
【００１４】
この防水扉２の左右及び下側の縁には、浴槽部１に貯留した温水が漏れないように防水器具、例えば、パッキンなどが設置される。そして、引き上げられた防水扉２周縁に付設された防水器具を、浴槽部１の側面部に押し付けて圧着し固定するための扉圧着装置４が、浴槽部１の内外から操作可能な状態で設置されている。
この扉圧着装置４の例としては、浴槽部１及び防水扉２それぞれの対応する位置に設置されて、これらを相互に組み合わせて圧着しつつ施錠をするバックル装置などが考えられる。
また、防水扉２の材質としては、浴槽部１と同じくＦＲＰを用いることができるが、入浴者がこの立位入浴槽の小ささや圧迫感を感じにくいように、外光が入りやすく透明で適度な厚さを持つ丈夫なアクリル板などを使用することが有効である。
【００１５】
次に図２であるが、これは図１の立位入浴槽の防水扉２を引き上げた状態を示すものである。この時、防水扉２の左右及び下方の周縁を取り巻くように設置されたパッキンなどの防水器具と浴槽部１の側面部とは、浴槽部１に貯留した温水が漏れないように扉圧着装置４により強く密着させているため、浴槽部１の出入口の高さを超えて、更に浴槽部１の上部まで温水を貯留することが可能なようになっている。
したがって、図１のように防水扉２を開放した状態で出入口の高さ近くまで温水を貯留して座位姿勢で入浴することができるほか、図２のように防水扉２を閉鎖した状態にして浴槽部１の上部まで温水を貯留して立位姿勢で入浴することも可能となる。
【００１６】
このように、本件考案に係る立位入浴槽は非常にコンパクトなものであり、例えば、温水を貯めて入浴する通常の横長の浴槽を設けずに、シャワールームのみを設置した住宅や宿泊施設などにおいて、既存のシャワールーム内に後付け設置とすることも考えられる。また、新築工事などで新たに浴室を作る場合においても、建物内で浴槽が占める平面積を小さくできるため、狭小の住宅などで空間を有効活用できる利点がある。
【００１７】
図３は、浴槽部１の前側の側面部に丸みを持たせ、防水扉２を横方向に回転させて開閉するタイプの立位入浴槽である。
図３が防水扉２を開いた状態を示す斜視図であり、図４が防水扉２を閉めた状態を示している。
この図では、出入口の左右それぞれに防水扉２があり、回転可能なようにその上下を扉支持装置３によって支持されている。そして、左右の防水扉２を正面中央で組み合わせながら、これらの防水扉２同士を相互に圧着し、また、これらの防水扉２を浴槽部１の側面部にそれぞれ圧着するための扉圧着装置４も設置されている。
【００１８】
この図３の立位入浴槽は、浴槽部１の内側の奥行は８００ｍｍであり、図１の立位入浴槽より若干大きい。しかし、浴槽部１の内側の横幅や、側面部と出入口の外側の高さは、図１の立位入浴槽と同じく、それぞれ７００ｍｍ、１４００ｍｍ、６５０ｍｍとしている。同じく、底面部や側面部の各面の厚みも、図１の立位入浴槽と同じ５０ｍｍである。
また、浴槽部１の素材をＦＲＰ、防水扉２の素材を透明なアクリルとすると、図３の立位入浴槽の前側は、図１の立位入浴槽よりも広くなっているため、図１の例よりも更に開放感を感じられる立位入浴槽となる。
【００１９】
なお、本件考案に係る立位入浴槽の形状は、図１や図３のようなものに限らない。例えば、浴槽部１の底面部の形状を円形や楕円形とすることも可能である。また、防水扉２の数や形状、その組み合わせ方法もこれに限るものではない。例えば、底面が円形の円柱状の立位入浴槽として、回転式の防水扉２を一枚のみ備えたものとしても良い。
また、図５の立位入浴槽は、扉支持装置３により前後に回転自在に保持された防水扉２が、前方に向けて開く前後移動式の防水扉２を持つ立位入浴槽である。
この例では、更に防水扉２の内側の形状が、浴槽部１の突出部と互いに組み合う段差構造となっていて、それに付設されたパッキン等の防水器具により、浴槽部１に貯留した温水が漏れる隙間が生じないようになっている。
すなわち、立位入浴時には、浴槽部１内の温水が漏れないように、この防水扉２を閉めてから、扉圧着装置４を内側から操作し、出入口周縁を取り巻くようにして浴槽部１の突出部に配された防水器具と、防水扉２の内側に突出した部位とを強く圧着させながら、防水扉２を固定することとなる。
また、図６は、図５と形状が異なる前後移動式の防水扉２を持つ立位入浴槽の例を示す斜視図である。これは、防水扉２を左右に大きく開放することが可能となるため、例えば、福祉や介護の現場など介助者が必要な場合などに有効となる立位入浴槽である。この例では、温水量が少なくても済むように、防水扉２の上部を絞り込むように傾斜させた形状となっている。
【００２０】
次に図７は、図３の立位入浴槽の浴槽部１の側面部、特に入浴者の背面側となる側面部の内側に、入浴者の背中や腰等を軽く支えるための極めてなだらかな突出部を背面支持部５として設けたものである。この図７は正面図となっており、図８が同じ立位入浴槽の斜視図である。
【００２１】
本件考案に係る立位入浴槽では、空間効率の観点から、浴槽部１の内側に大きく突出して、利用者がそれに腰掛けて使用する座席のようなものは設けない。立位姿勢で入浴をしながらも、時折姿勢を変えて背後に軽くもたれ掛かる場合などに、その身体を軽く支えるための極めてなだらかで滑らかな形状の突出部である。本来的に、立位入浴の場合においては、入浴者は水の浮力を十分に得ており、立った状態にある入浴者の身体に掛かる重力の負担は大きく軽減されるが、この背面支持部５によって入浴者が更に寛ぎやすいものとなる。
また、入浴者の身体に接触することが多い浴槽部１の側面部の内側に関し、これを単に平面とするのではなく、これを軽くなだらかに突出させることによって、入浴者はこの背面支持部５に軽くもたれ掛かって楽な姿勢で入浴できるとともに、入浴者の身体を面ではなく点で支えることにより、浴槽部１と身体の密着感が低減されて、立位入浴槽の利用者は、より快適な入浴を行うことが可能となる。
【００２２】
なお、図７では、浴槽部１内側の側面部の上下に、背中と腰を支持するための背面支持部５を２ヶ所設けたが、必ずしもこのような形態に限定されるべきものではない。このように背中用と腰用の２ヶ所とすることも良いし、腰用の１ヶ所のみとしても良い。なお、図７の背面支持部５では、上方にある背中用の突出より、下方にある腰又は臀部用の突出を若干大きくすることで、入浴者の身体サポート効果を更に効果的なものとしている。
【００２３】
また、通常の浴槽での入浴時にも、高齢者を中心とする入浴者が、入浴中の突発的な体調不良などにより、浴槽内で溺れる事故が発生することもある。そのため、本件考案に係る立位入浴槽においては、そのような場合はもちろん、清掃時など通常の排水作業においても利用をすることができる止水弁等を用いた貯留水の急速排水装置６を、通常の排水口とは別に設けることとした。
【００２４】
図９では、図３の立位入浴槽の側面部内側に、この急速排水装置６を設けてある。
通常時においては、誤って手等の接触による誤操作がないように、かつ、必要時には速やかに急速排水装置６を稼動可能なように、急速排水装置６の上端前側に、これを稼動させるための起動装置７が設置してある。
この急速排水装置６については、図９のように、浴槽部１の左右の両側面部の内側に突出させて設け、この突出した部位の内部に排水パイプを設置することも可能である。
また、図１０は急速排水装置６の排水経路の一例であるが、このように起動装置７が設けられた急速排水装置６の上端部のみを浴槽部１の内側に突出させ、急速排水装置６の排水パイプについては浴槽部１の側面部に埋め込むことも可能である。
図９のように、急速排水装置６を浴槽部１の内側に広く突出させることにより得られる効果としては、急速排水装置６の副排水口をより多く、又は、より大きく、この突出した部位に設けることが容易となる点が考えられる。一方、図１０のように、急速排水装置６の排水パイプを浴槽部１の側面部に埋め込むことで、浴槽部１の内部空間をより広く確保できる利点がある。
そして、これらのいずれの場合においても、急速排水装置６の稼動により、より速やかな排水が可能となり、緊急時の安全性と清掃時等の効率性がいずれも向上することになる。
【００２５】
また、急速排水装置６の稼動については、図９のように起動装置７を浴槽部１の側面部上方に設けて、これを手で操作するほかに、起動装置７を浴槽部１前方の側面部、例えば、出入口付近に設けるものとして、入浴者がこれを足で操作する仕様とすることもできる。
他に、急速排水装置６の排水経路のあり方、すなわち排水管の取り回しに関しては、その一例が図１０であった。図１０では、急速排水装置６の排水経路が、底面部にある排水口の排水経路に合流するものとなっている。しかし、これに関しても、急速排水装置６の排水経路を通常の排水経路に合流しない別系統の排水経路として、より効果的な急速排水を実現することが考えられる。
【００２６】
また、出入口の高さが立位入浴槽の使いやすさを低下させるおそれがある場合などでは、浴槽部１の出入口付近の外側及び内側に、図９のようなステップ８を設けることも有効である。そして、このような場合においては、図１０のような排水経路のハブとなる部位を、このステップ８内に設けるなどして、立位入浴槽の使いやすさと空間効率をともに向上させることも可能である。
【符号の説明】
【００２７】
１  浴槽部
２  防水扉
３  扉支持装置
４  扉圧着装置
５  背面支持部
６  急速排水装置
７  起動装置
８  ステップ
【図１】
0003220284.tif 000003
【図２】
0003220284.tif 000004
【図３】
0003220284.tif 000005
【図４】
0003220284.tif 000006
【図５】
0003220284.tif 000007
【図６】
0003220284.tif 000008
【図７】
0003220284.tif 000009
【図８】
0003220284.tif 000010
【図９】
0003220284.tif 000011
【図１０】
0003220284.tif 000012